(57)【要約】【課題】  回転及び水平移動兼用機構の提供。【解決手段】  回転及び水平移動兼用機構はベースとスクリーンを接続し、ベースに回転軸構造が設けられ、回転プラットフォームが回転軸構造に対して回転し、並びに回転プラットフォームに歯車セットとヒンジ装置が設けられ、ヒンジ装置がスクリーンに固定される。歯車セットは中間歯車、左歯車、右歯車を具え、中間歯車が回転軸構造に設けられ、左、右歯車は中間歯車に噛み合い並びに同じ歯数とされている。スクリーンが回転する時、左、右歯車の凸点がヒンジ装置の長凹溝を駆動してヒンジ装置を回転プラットフォームにおいて水平移動させる。ゆえに前述の構造は伝統的な円形回転機構とは異なり、簡易化されて空間を有効利用し、且つスクリーンが完全にベース上方を被覆し、不必要な空間浪費を防止する。【選択図】        図３
2006113999.tif 000002
【特許請求の範囲】
【請求項１】
ベースとスクリーンの間に接続され、並びにスクリーンをベース上で回転させる回転及び水平移動兼用機構であり、該回転及び水平移動兼用機構は、回転軸構造、回転プラットフォーム、歯車セット、及びヒンジ装置を具え、
該回転軸構造はベースに固定され、
該回転プラットフォームに回転軸装置が設けられ、この回転軸装置は回転軸構造に枢設され並びにベースに対して回転可能とされ、また、回転プラットフォームは収容空間、及び第１案内構造を具え、
該歯車セットは回転プラットフォームの収容空間内に組み付けられ、且つ歯車セットは中間歯車、左歯車、右歯車を具え、そのうち、中間歯車は回転軸構造に同軸固定され、左歯車と右歯車はそれぞれ中間歯車の二側に枢設され、並びにそれぞれ中間歯車に噛み合い、また、左歯車と右歯車が同じ歯数とされ、且つ左歯車と右歯車の少なくとも一方に凸点が上向きに凸設され、
該ヒンジ装置は回転プラットフォームの収容空間内に収容され、且つヒンジ装置の底面に少なくとも一つの長凹溝が凹設され、この少なくとも一つの長凹溝は上述の凸点を収容し、また、ヒンジ装置は第２案内構造を具え、この第２案内構造は回転プラットフォームの第１案内構造においてスライドし、並びにヒンジ装置はスクリーンに固定され、
該回転プラットフォームはその回転軸装置を以て回転軸構造に対して回転し、且つ回転軸構造に固定された中間歯車が左歯車と右歯車を駆動して中間歯車の周りを回転させ、また、少なくとも一つの凸点がヒンジ装置の少なくとも一つの長凹溝を駆動し、ヒンジ装置をその第２案内構造を以て、回転プラットフォームの第１案内構造に沿って水平移動させることを特徴とする、回転及び水平移動兼用機構。
【請求項２】
請求項１記載の回転及び水平移動兼用機構において、回転軸構造がベースの後側端に固定されたことを特徴とする、回転及び水平移動兼用機構。
【請求項３】
請求項１記載の回転及び水平移動兼用機構において、回転軸構造が凸軸とされ、回転軸装置が該凸軸に嵌合されるスリーブとされたことを特徴とする、回転及び水平移動兼用機構。
【請求項４】
請求項１記載の回転及び水平移動兼用機構において、第１案内構造が二つのリブとされて回転プラットフォームの収容空間内に凸設され並びに歯車セットの二側に位置し、且つ第２案内構造が二つの滑り溝とされて対応する該リブに沿ってスライド自在とされたことを特徴とする、回転及び水平移動兼用機構。
【請求項５】
請求項１記載の回転及び水平移動兼用機構において、第１案内構造が二つのガイドロッドとされて回転プラットフォームの二側に組み付けられ、且つ第２案内構造が二つの開孔とされて対応する該ガイドロッドをスライド自在に収容することを特徴とする、回転及び水平移動兼用機構。
【請求項６】
請求項１記載の回転及び水平移動兼用機構において、歯車セット上方を被覆する歯車カバーを具え、該歯車カバーに前記凸点を収容する円弧溝が開設されたことを特徴とする、回転及び水平移動兼用機構。
【請求項７】
請求項１記載の回転及び水平移動兼用機構において、ベースの上表面に少なくとも一つの位置決め回転輪が組み付けられ、且つ回転プラットフォームの二側に対応する位置決め回転輪を位置決めする位置決め開孔が開設されたことを特徴とする、回転及び水平移動兼用機構。
【発明の詳細な説明】
【技術分野】
【０００１】
本発明は回転及び水平移動兼用機構に係り、特に、両用型ポータブルコンピュータに適用される回転及び水平移動兼用機構に関する。
【背景技術】
【０００２】
一般に、両用型ポータブルコンピュータは、ベースとスクリーンを具え、且つベースにキーボードセットが組み付けられ、スクリーンはベースに枢設され、並びにベースに対して回転可能とされ、ゆえにスクリーンがベースに対向するよう設置される時、ノートブック型コンピュータとして操作され、反対にスクリーンが転向され並びにベースに背向する時、タッチペンで操作可能とされてタブレットＰＣが形成される。
【０００３】
伝統的に、スクリーンをベースに対して回転させるためには、スクリーンとベースの間に回転機構の設計を有していなければならず、それはスクリーンとベースを連結し、並びにスクリーンをベースに対して回転させる。
【０００４】
しかし、伝統的な回転機構は単純な円形構造とされ、並びにスクリーンとベースの間に組み付けられ、このような設計は、円形の回転機構が横向きにベース外部に突出して空間を占拠する。
【０００５】
このほか、伝統的な回転機構にはヒンジ装置が組み付けられ、それはスクリーンに固定されてスクリーンをベースに対して回転させるが（スクリーンを下向きに回転させてベースの上を被覆するか、スクリーンを上向きに回転させる）、伝統的なヒンジ装置は回転機構に固定されて回転に伴い回転し、その位置は回転機構の回転により変動し、このためスクリーンの回転後にはベース上方を完全には被覆不能となって位置づれを形成し、則ちスクリーンの傍らに不必要な空間が形成される。このほか、伝統的なヒンジ装置はその安定性が低く、ぐらつきを発生しやすく、理想的でない。
【発明の開示】
【発明が解決しようとする課題】
【０００６】
本発明は一種の回転及び水平移動兼用機構を提供することを目的とし、それは、ベースとスクリーンの間に接続され、並びにスクリーンをベース上で回転させ、且つ本発明の回転及び水平移動兼用機構は回転軸構造、回転プラットフォーム、歯車セット、及びヒンジ装置を具えているものとする。
【０００７】
上述の回転軸構造はベースに固定され、且つ回転プラットフォームに回転軸装置が設けられ、この回転軸装置は回転軸構造に枢設され並びにベースに対して回転可能とされ、また、回転プラットフォームは収容空間、及び第１案内構造を具えているものとする。
【０００８】
このほか、歯車セットは回転プラットフォームの収容空間内に組み付けられ、且つ歯車セットは中間歯車、左歯車、右歯車を具え、そのうち、中間歯車は回転軸構造に同軸固定され、左歯車と右歯車はそれぞれ中間歯車の二側に枢設され、並びにそれぞれ中間歯車に噛み合い、また、左歯車と右歯車が同じ歯数とされ、且つ左歯車と右歯車の少なくとも一方に凸点が上向きに凸設されている。
【０００９】
このほか、ヒンジ装置は回転プラットフォームの収容空間内に収容され、且つヒンジ装置の底面に少なくとも一つの長凹溝が凹設され、この少なくとも一つの長凹溝は上述の少なくとも一つの凸点を収容し、また、ヒンジ装置は第２案内構造を具え、この第２案内構造は回転プラットフォームの第１案内構造においてスライドし、並びにヒンジ装置はスクリーンに固定されるものとする。
【００１０】
作動時、則ちスクリーンが回転する時、回転プラットフォームはその回転軸装置が回転軸構造に対して回転し、且つ回転軸構造に固定された中間歯車が左歯車と右歯車を駆動して中間歯車の周りを回転させ、また、少なくとも一つの凸点がヒンジ装置の少なくとも一つの長凹溝を駆動し、ヒンジ装置をその第２案内構造を以て、回転プラットフォームの第１案内構造に沿って水平移動させる。
【００１１】
上述の構造により、回転プラットフォームがベースの回転軸構造に対して回転する時、ヒンジ装置が回転プラットフォームに対して水平移動し、ゆえに回転及び水平移動兼用機構と称される。且つ、上述の構造は伝統的な設計の円形回転機構とは異なり、簡易化された構造で空間を有効利用し、且つスクリーン回転後にい、ヒンジ装置の水平移動により、スクリーンが完全にベース上方を被覆し、不必要な空間浪費を防止する。
【００１２】
上述の回転軸構造はベースの後側端に固定され、且つ回転軸構造は凸軸とされ得て、回転軸装置はスリーブとされ得て、該スリーブは凸軸と嵌合される。
【００１３】
このほか、上述の第１案内構造は二つのリブとされ得て、それは回転プラットフォームの収容空間内に凸設され、並びにそれぞれ歯車セットの二側に位置し、且つ第２案内構造は二つの滑り溝とされ、それは二つのリブ上をスライド可能とされる。上述の第１案内構造はまた二つのガイドロッドとされ得て、それはそれぞれ回転プラットフォームの二側に組み付けられ、且つ第２案内構造は二つの開孔とされて二つのガイドロッドとスライド自在に嵌合される。
【００１４】
このほか、上述の構造は更に歯車カバーを具え、それは歯車セット上を被覆し、且つ歯車カバーに上述の少なくとも一つの凸点を収容する少なくとも一つの円弧溝が開設されている。
【００１５】
上述のベースの上表面に少なくとも一つの位置決め回転輪を組み付け可能であり、且つ回転プラットフォームに二つの位置決め開孔が開設され、該位置決め開孔は回転プラットフォームの二側に位置し、少なくとも一つの位置決め回転輪に対応しそれを位置決めする。
【課題を解決するための手段】
【００１６】
請求項１の発明は、ベースとスクリーンの間に接続され、並びにスクリーンをベース上で回転させる回転及び水平移動兼用機構であり、該回転及び水平移動兼用機構は、回転軸構造、回転プラットフォーム、歯車セット、及びヒンジ装置を具え、
該回転軸構造はベースに固定され、
該回転プラットフォームに回転軸装置が設けられ、この回転軸装置は回転軸構造に枢設され並びにベースに対して回転可能とされ、また、回転プラットフォームは収容空間、及び第１案内構造を具え、
該歯車セットは回転プラットフォームの収容空間内に組み付けられ、且つ歯車セットは中間歯車、左歯車、右歯車を具え、そのうち、中間歯車は回転軸構造に同軸固定され、左歯車と右歯車はそれぞれ中間歯車の二側に枢設され、並びにそれぞれ中間歯車に噛み合い、また、左歯車と右歯車が同じ歯数とされ、且つ左歯車と右歯車の少なくとも一方に凸点が上向きに凸設され、
該ヒンジ装置は回転プラットフォームの収容空間内に収容され、且つヒンジ装置の底面に少なくとも一つの長凹溝が凹設され、この少なくとも一つの長凹溝は上述の凸点を収容し、また、ヒンジ装置は第２案内構造を具え、この第２案内構造は回転プラットフォームの第１案内構造においてスライドし、並びにヒンジ装置はスクリーンに固定され、
該回転プラットフォームはその回転軸装置を以て回転軸構造に対して回転し、且つ回転軸構造に固定された中間歯車が左歯車と右歯車を駆動して中間歯車の周りを回転させ、また、少なくとも一つの凸点がヒンジ装置の少なくとも一つの長凹溝を駆動し、ヒンジ装置をその第２案内構造を以て、回転プラットフォームの第１案内構造に沿って水平移動させることを特徴とする、回転及び水平移動兼用機構としている。
請求項２の発明は、請求項１記載の回転及び水平移動兼用機構において、回転軸構造がベースの後側端に固定されたことを特徴とする、回転及び水平移動兼用機構としている。
請求項３の発明は、請求項１記載の回転及び水平移動兼用機構において、回転軸構造が凸軸とされ、回転軸装置が該凸軸に嵌合されるスリーブとされたことを特徴とする、回転及び水平移動兼用機構としている。
請求項４の発明は、請求項１記載の回転及び水平移動兼用機構において、第１案内構造が二つのリブとされて回転プラットフォームの収容空間内に凸設され並びに歯車セットの二側に位置し、且つ第２案内構造が二つの滑り溝とされて対応する該リブに沿ってスライド自在とされたことを特徴とする、回転及び水平移動兼用機構としている。
請求項５の発明は、請求項１記載の回転及び水平移動兼用機構において、第１案内構造が二つのガイドロッドとされて回転プラットフォームの二側に組み付けられ、且つ第２案内構造が二つの開孔とされて対応する該ガイドロッドをスライド自在に収容することを特徴とする、回転及び水平移動兼用機構としている。
請求項６の発明は、請求項１記載の回転及び水平移動兼用機構において、歯車セット上方を被覆する歯車カバーを具え、該歯車カバーに前記凸点を収容する円弧溝が開設されたことを特徴とする、回転及び水平移動兼用機構としている。
請求項７の発明は、請求項１記載の回転及び水平移動兼用機構において、ベースの上表面に少なくとも一つの位置決め回転輪が組み付けられ、且つ回転プラットフォームの二側に対応する位置決め回転輪を位置決めする位置決め開孔が開設されたことを特徴とする、回転及び水平移動兼用機構としている。
【発明の効果】
【００１７】
本発明の回転及び水平移動兼用機構は、ベースとスクリーンの間を接続し、ベースに回転軸構造が設けられ、回転プラットフォームが回転軸構造に対して回転し、並びに回転プラットフォームに歯車セットとヒンジ装置が設けられ、ヒンジ装置がスクリーンに固定される。歯車セットは中間歯車、左歯車、右歯車を具え、中間歯車が回転軸構造に設けられ、左、右歯車は中間歯車に噛み合い並びに同じ歯数が設けられている。スクリーンが回転する時、左、右歯車の凸点がヒンジ装置の長凹溝を駆動してヒンジ装置を回転プラットフォームにおいて水平移動させる。ゆえに前述の構造は伝統的な円形回転機構とは異なり、簡易化されて空間を有効利用し、且つスクリーンが完全にベース上方を被覆し、不必要な空間浪費を防止する。
【発明を実施するための最良の形態】
【００１８】
図１は本発明の立体組合せ図、図２は本発明の立体分解図であり、それには両用型ポータブルコンピュータが表示され、且つそれは、ベース１１、及びスクリーン１２を具え、ベース１１とスクリーン１２の間に回転及び水平移動兼用機構７が接続され、スクリーン１２が回転及び水平移動兼用機構７により回転するか、或いはベース１１上を被覆するものとされ、またベース１１の上表面にキーボードセット１１２が組み付けられ、それがノートブック型コンピュータとされるか或いはタブレットＰＣとして使用され、則ちいわゆる両用型ポータブルコンピュータとされる。
【００１９】
図１、２、３は本発明の回転及び水平移動兼用機構の立体分解図であり、そのうち、回転及び水平移動兼用機構７は、回転軸構造２、回転プラットフォーム３、歯車セット４、ヒンジ装置５、及び歯車カバー６を具えている。そのうち、回転軸構造２はベース１１の後側端１１３に固定され並びに上向きに突出し、回転プラットフォーム３に回転軸装置３１が下向きに凸設され、本実施例では、回転軸構造２は凸軸とされ、回転軸装置３１はスリーブとされ、該回転軸装置３１は回転軸構造２の凸軸に嵌合され、並びにベース１１に対して回転可能とされ、且つ前述の回転軸構造２の凸軸はその中央を中央貫通孔２１が貫通し、回転軸装置３１のスリーブの中央を中央穿孔３１１が貫通し、この中央穿孔３１１は回転軸構造２の中央貫通孔２１に対応する。
【００２０】
上述の回転プラットフォーム３の上方に収容空間３２、及びその内部において縦向きに延伸された第１案内構造３３が設けられ、本実施例では、第１案内構造３３は二つのリブ３３１とされ、この二つのリブ３３１が回転プラットフォーム３の収容空間３２内において凸設され、また回転プラットフォーム３の二側にそれぞれガイドロッド３３２が凸設されている。
【００２１】
このほか、歯車セット４は左右に横向きに回転プラットフォーム３の収容空間３２内に配置され、上述の第１案内構造３３の二つのリブ３３１が歯車セット４の二側に位置し、且つ二つのガイドロッド３３２は同様に歯車セット４の二側に位置し、また、前述の歯車セット４は中間歯車４１、左歯車４２、及び右歯車４３を具えている。そのうち、中間歯車４１は回転軸構造２に同軸固定され、左歯車４２と右歯車４３は中間歯車４１の二側に枢設され、並びにそれぞれ中間歯車４１に噛み合い、且つ左歯車４２と右歯車４３は同じ歯数とされ、両者に上向きに凸点４２１、４３１が凸設され、こうして左歯車４２と右歯車４３が中間歯車４１に対して回転する時、同じ速度を具備するものとされる。
【００２２】
その後、歯車カバー６で歯車セット４の上方が被覆され、且つこの歯車カバー６に二つの円弧溝６１が開設され、この二つの円弧溝６１はそれぞれ左歯車４２と右歯車４３の凸点４２１、４３１を収容する。
【００２３】
このほか、ヒンジ装置５は横向きに延伸された長條状を呈し並びに回転プラットフォーム３の収容空間３２内に収容され、このヒンジ装置５はスクリーン１２の下方に固定され、且つヒンジ装置５の底面５１に二つの長凹溝５１１、５１２が凹設され、この二つの長凹溝５１１、５１２は左歯車４２と右歯車４３の凸点４２１、４３１に対応しそれを収容し、また、ヒンジ装置５は第２案内構造５２を具え、本実施例では、第２案内構造５２は二つの滑り溝５２１とされ、それはそれぞれヒンジ装置５の二側に位置し並びに第１案内構造３３の二つのリブ３３１に対応しそれに沿ってスライドし、且つヒンジ装置５の二側にそれぞれ開孔５２２が開設され、該開孔５２２は回転プラットフォーム３の二つのガイドロッド３３２にスライド自在に嵌合する。
【００２４】
最後に、スクリーン１２の回路（図示せず）が回転軸構造２の凸軸の中央穿孔３１１に通されてベース１１内に接続される。
【００２５】
図１、３、及び図４の本発明の作動前の平面図を参照されたい。ノートブック型コンピュータをタブレットＰＣに変換して使用するか、或いはタブレットＰＣをノートブック型コンピュータに変換して使用する時、スクリーン１２と回転及び水平移動兼用機構７は図４に示される開始位置に位置し、その後、スクリーン１２が回転開始する。図１、３、５の本発明の作動中の平面図を参照されたい。上述の機構により、回転プラットフォーム３はその回転軸装置３１を以て回転軸構造２に対して回転可能で、この時、回転軸構造２に固定された中間歯車４１が左歯車４２と右歯車４３を駆動して中間歯車４１の周りを回転させ、左歯車４２と右歯車４３は同じ歯数であるため、左歯車４２と右歯車４３は中間歯車４１の周りを回転する時、同じ速度を具備する。このほか、回転と同時に、左歯車４２と右歯車４３がヒンジ装置５の二つの長凹溝５１１、５１２内に収容された二つの凸点４２１、４３１によりヒンジ装置５を駆動し、ヒンジ装置５をその二つの滑り溝５２１と二つの開孔５２２を以て、回転プラットフォーム３の二つのリブ３３１と二つのガイドロッド３３２に対して縦向きに水平移動させ、これによりヒンジ装置５を回転させてヒンジ装置５に固定されたスクリーン１２を回転させる。図１、３、及び図６の本発明の作動後の平面図に示されるように、最後にスクリーン１２が回転して図６に示される回転後の位置に至る。
【００２６】
これにより、上述の構造により、回転プラットフォーム３がベース１１の回転軸構造２に対して回転する時、ヒンジ装置５が同時に回転プラットフォーム３に対して水平移動し、ゆえに回転及び水平移動兼用機構とされ、且つ上述の構造は並びに伝統的な設計の円形回転機構とは異なり、簡易化された構造により空間を有効利用している。このほか、ヒンジ装置５が回転後にその位置を改変せず（図４及び図６）、則ちスクリーン１２が回転後にヒンジ装置５の水平移動により位置ずれを発生せず完全にベース１１の上方を被覆し、不必要な空間浪費を形成しない。
【００２７】
このほか、回転過程を更に滑らかとするため、また位置決めを考慮して、ベース１１の上表面の二側に位置決め回転輪１１１が組み付けられ、且つ回転プラットフォーム３の二側に位置決め回転孔３４が開設され、回転プラットフォーム３が回転する時、その位置決め開孔３４がベース１１の位置決め回転輪１１１に対応しそれを位置決めするものとされる。
【００２８】
また、上述の左歯車４２と右歯車４３は共に凸点４２１、４３１を具え、則ちヒンジ装置５は二つの支点で支持されて駆動され、これによりヒンジ装置５に固定されたスクリーン１２が良好な安定性を具備するものとされる。
【００２９】
以上の実施例は本発明の実施範囲を限定するものではなく、本発明に基づきなしうる細部の修飾或いは改変は、いずれも本発明の請求範囲に属するものとする。
【図面の簡単な説明】
【００３０】
【図１】本発明の立体組合せ図である。
【図２】本発明の立体分解図である。
【図３】本発明の回転及び水平移動兼用機構の立体分解図である。
【図４】本発明の作動前の平面図である。
【図５】本発明の作動中の平面図である。
【図６】本発明の作動後の平面図である。
【符号の説明】
【００３１】
１１  ベース              １１１  位置決め回転輪      １１２  キーボードセット
１１３  後側端            １２  スクリーン            ２  回転軸構造
２１  中央貫通孔          ３  回転プラットフォーム    ３１  回転軸装置
３１１  中央穿孔          ３２  収容空間              ３３  第１案内構造
３３１  リブ              ３３２  ガイドロッド        ３４  位置決め開孔
４  歯車セット            ４１  中間歯車              ４２  左歯車
４２１  凸点              ４３  右歯車                ４３１  凸点
５  ヒンジ装置            ５１  底面                  ５１１、５１２  長凹溝
５２  第２案内構造        ５２１  滑り溝              ５２２  開孔
６  歯車カバー            ６１  円弧溝
７  回転及び水平移動兼用機構
【図１】
2006113999.tif 000003
【図２】
2006113999.tif 000004
【図３】
2006113999.tif 000005
【図４】
2006113999.tif 000006
【図５】
2006113999.tif 000007
【図６】
2006113999.tif 000008